(57)【要約】【課題】従来のモードダイアルよりも薄型化でき、部品点数も削減できる、製造面及びコスト面で有利なモードダイアルを提供する。【解決手段】ダイアル１裏面のボス部１ａをダイアル取付予定箇所５ａの孔５ｂに挿入してダイアル１を該予定箇所５ａの外面側に配置し、該予定箇所の内面側に、被係合部２ａを周方向に間隔をあけて形成した板金製のクリックプレート２を回転不能に位置決めし、該プレート２の更に内側に、被係合部２ａに係合する係合凸子３ｂを形成した板金製のクリックバネ３を配置してボス部１ａに回転不能に位置決めすると共に、１本のビス４でビス止めしてクリックプレート２にクリックバネ３を弾接させ、クリックバネ３をモードスイッチ７の回転部７ａに回転不能に位置決めしたモードダイアルとする。板金製のクリックプレート２とクリックバネ３でモードダイアルを薄型化でき、部品点数も４点に削減できる。【選択図】図２
2008177095.tif 000002
【特許請求の範囲】
【請求項１】
ダイアルの裏面の中心部に形成したボス部をダイアル取付予定箇所の孔に外側から挿入してダイアルをダイアル取付予定箇所の外面側に配置する一方、ダイアル取付予定箇所の内面側に、被係合部を周方向に間隔をあけて複数形成したドーナツ板状の板金製のクリックプレートを、このクリックプレートの外周部に形成した凹欠部にダイアル取付予定箇所に形成した凸部を嵌め込むことで回転不能に位置決めして配置し、このクリックプレートの更に内側に、上記被係合部に係合する係合凸子を両側に突き出す一対の腕部の先端に形成した板金製のクリックバネを配置して、このクリックバネに形成した小開口にダイアルのボス部に形成した突起を嵌め込むことでクリックバネをダイアルのボス部に回転不能に位置決めすると共に、このクリックバネをダイアルのボス部に１本のビスでビス止めしてクリックプレートにクリックバネの両側の腕部を弾接させ、クリックバネに形成した係合突片と上記一対の腕部をモードスイッチの回転部に形成した被係合凹部に係合させることでクリックバネをモードスイッチの回転部に回転不能に位置決めして取付けたことを特徴とするモードダイアル。
【請求項２】
ダイアル裏面の中心部に形成したボス部をダイアル取付予定箇所の孔に外側から挿入してダイアルをダイアル取付予定箇所の外面側に配置する一方、ダイアル取付予定箇所の内面側に、被係合部を周方向に間隔をあけて複数形成したドーナツ板状の板金製のクリックプレートを回転不能に位置決めして配置し、このクリックプレートの更に内側に、上記被係合部に係合する少なくとも一つの係合凸子を形成した板金製のクリックバネを配置してダイアルのボス部に回転不能に位置決めすると共に、このクリックバネをダイアルのボス部に１本のビスでビス止めしてクリックプレートにクリックバネを弾接させ、クリックバネをモードスイッチの回転部に回転不能に位置決めして取付けたことを特徴とするモードダイアル。
【請求項３】
上記クリックプレートの外周部に凹欠部を形成し、上記ダイアル取付予定箇所に形成した凸部を上記凹欠部に嵌め込んで、上記クリックプレートを上記ダイアル取付予定箇所に回転不能に位置決めしたことを特徴とする請求項２に記載のモードダイアル。
【請求項４】
上記クリックバネに小開口を形成し、上記ダイアルのボス部に形成した突起を上記小開口に嵌め込んで、上記クリックバネを上記ボス部に回転不能に位置決めしたことを特徴とする請求項２又は請求項３に記載のモードダイアル。
【請求項５】
上記クリックバネが両側へ突出する一対の腕部を有し、この腕部の先端に上記係合凸子を有することを特徴とする請求項２ないし請求項４のいずれかに記載のモードダイアル。
【請求項６】
上記クリックプレートに形成した被係合部が、孔、スリット、凹穴、凹溝のいずれかである請求項１ないし請求項５のいずれかに記載のモードダイアル。
【発明の詳細な説明】
【技術分野】
【０００１】
本発明は、電子機器類に設けられるモードダイアルに関し、特に、薄型化と部品点数の削減を図ったモードダイアルに関する。
【背景技術】
【０００２】
この種のモードダイアルとして、例えば、図６に示すようなものが知られている。このモードダイアルは、合成樹脂製のダイアル１０と、このダイアル１０の下面に３本のビス１１ａで取付固定され且つモードスイッチ１４の回転部１４ａに対して回転不能に位置決めして取付けられる合成樹脂製のダイアル押え１２と、１本のビス１１ｂで固定され且つ先端の凸曲部１３ａがダイアル押え１２の外周面の凹部１２ａに嵌まり込んでクリック感覚を与えるクリックスプリング１３とで構成されたものである。
【０００３】
一方、外装カバーと、外装カバーに対し回動可能に設置され且つ裏面に複数配置された係合穴を有するダイヤル本体と、ダイアル本体の回転位置を位置決めする係合部や、外装カバーに固定される固定部や、係合部をダイアル本体側へ付勢する付勢部を備えた位置決め部材と、ブラシと、コード板と、ワッシャなどで構成される回転ダイアルが公知になっている（特許文献１）。
【０００４】
また、筐体に対して回転するダイアル部材と、筐体に固定されたスチールボールと、スチールボールと係合してダイアル部材の回転を制限するスリットを有しダイアル部材に固定されるクリック板と、クリック板をダイアル部材に固定するネジと、クリック板に重ねて固定されるコンタクト板とで構成される回転装置も公知になっている（特許文献２）。
【０００５】
更に、複数の電極パターンが同心弧状に形成された基板と、この基板に対し電極パターンの曲率中心を軸とした回転操作が可能なダイヤル部材と、このダイヤル部材と一体的に回転可能であって電極パターンに接触する切片及びクリック部を備えた回転板とで構成されるダイヤル装置も公知になっている（特許文献３）。
【特許文献１】特開２００６−９８７７３号公報
【特許文献２】特開２００６−９８５０７号公報
【特許文献３】特開２００４−３４７６４３号公報
【発明の開示】
【発明が解決しようとする課題】
【０００６】
しかしながら、図６に示す従来のモードダイアルは、ダイアル１０もダイアル押え１２も樹脂の成形体で厚みが大きいため、モードダイアルを薄型化することが難しく、また、ダイアル押え１２にバリがあると、金属製のクリックスプリング１３との摩擦で樹脂粉が発生して感触が悪くなるという問題があった。また、ダイアル１０に対するダイアル押え１２の取付固定と、クリックスプリング１３の取付固定に、合計４本のビス１１ａ，１１ｂが必要であるため、組立作業性があまり良くなく、部品コストも高くなるという問題があった。
【０００７】
一方、特許文献１の回転ダイアルは、板バネで形成された位置決め部材を使用して薄型化を図っているが、部品点数が多いためコスト高となり、また、組立工数も多くなるので、製造面およびコスト面で不利になるという問題があった。同様に、特許文献２，３の回転装置やダイヤル装置も部品点数が多いため、製造面およびコスト面で不利になるという問題があった。
【０００８】
本発明は上記事情の下になされたもので、その解決しようとする課題は、従来のモードダイアルよりも薄型化でき、部品点数も削減できる、製造面及びコスト面で有利なモードダイアルを提供することにある。
【課題を解決するための手段】
【０００９】
上記課題を解決するため、本発明に係るモードダイアルは、ダイアル裏面の中心部に形成したボス部をダイアル取付予定箇所の孔に外側から挿入してダイアルをダイアル取付予定箇所の外面側に配置する一方、ダイアル取付予定箇所の内面側に、被係合部を周方向に間隔をあけて複数形成したドーナツ板状の板金製のクリックプレートを回転不能に位置決めして配置し、このクリックプレートの更に内側に、上記被係合部に係合する少なくとも一つの係合凸子を形成した板金製のクリックバネを配置してダイアルのボス部に回転不能に位置決めすると共に、このクリックバネをダイアルのボス部に１本のビスでビス止めしてクリックプレートにクリックバネを弾接させ、クリックバネをモードスイッチの回転部に回転不能に位置決めして取付けたことを特徴とするものである。
【００１０】
本発明のモードダイアルにおいては、クリックプレートの外周部に凹欠部を形成し、ダイアル取付予定箇所に形成した凸部を上記凹欠部に嵌め込んで、クリックプレートをダイアル取付予定箇所に回転不能に位置決めすることが好ましい。そして、クリックバネに小開口を形成し、ダイアルのボス部に形成した突起を上記小開口に嵌め込んで、クリックバネをボス部に回転不能に位置決めすることも好ましい。また、クリックバネは、両側へ突出する一対の腕部を有し、この腕部の先端に係合凸子を有することが好ましく、更に、クリックプレートに形成した被係合部は、孔、スリット、凹穴、凹溝のいずれかであることが好ましい。
【００１１】
そして、本発明の更に具体的な好ましいモードダイアルは、ダイアルの裏面の中心部に形成したボス部をダイアル取付予定箇所の孔に外側から挿入してダイアルをダイアル取付予定箇所の外面側に配置する一方、ダイアル取付予定箇所の内面側に、被係合部を周方向に間隔をあけて複数形成したドーナツ板状の板金製のクリックプレートを、このクリックプレートの外周部に形成した凹欠部にダイアル取付予定箇所に形成した凸部を嵌め込むことで回転不能に位置決めして配置し、このクリックプレートの更に内側に、上記被係合部に係合する係合凸子を両側に突き出す一対の腕部の先端に形成した板金製のクリックバネを配置して、このクリックバネに形成した小開口にダイアルのボス部に形成した突起を嵌め込むことでクリックバネをダイアルのボス部に回転不能に位置決めすると共に、このクリックバネをダイアルのボス部に１本のビスでビス止めしてクリックプレートにクリックバネの両側の腕部を弾接させ、クリックバネに形成した係合突片と上記一対の腕部をモードスイッチの回転部に形成した被係合凹部に係合させることでクリックバネをモードスイッチの回転部に回転不能に位置決めして取付けたことを特徴とするものである。
【発明の効果】
【００１２】
本発明のモードダイアルは、クリックプレートとクリックバネが板金製で厚みが小さいため、モードダイアル全体を薄型化することができる。しかも、ダイアル、クリックプレート、クリックバネ、１本のビスで組み立てられ、部品点数、組立工数が少ないため、製造面およびコスト面で有利である。そして、ダイアルを回すとクリックバネも回転し、クリックプレートに弾接しているクリックバネの係合凸子がクリックプレートのそれぞれの被係合部に順々に係合して、クリック感のある間欠的な回転動作を行い、クリックバネによってモードスイッチの回転部が間欠的に回転してスイッチが切り替えられる。その場合、クリックバネの係合凸子の大きさを変えると、ダイアルを回す力量を変更、調節することができる。また、板金製のクリックプレートに板金製のクリックバネが弾接して回転するので、従来のように樹脂粉が発生して感触が悪くなることもない。
【００１３】
そして、クリックプレートの外周部に凹欠部を形成し、ダイアル取付予定箇所に形成した凸部を上記凹欠部に嵌め込んで、クリックプレートをダイアル取付予定箇所に回転不能に位置決めしたモードダイアルは、他の位置決め部品を使用することなく、簡単な構造で確実にクリックプレートをダイアル取付予定箇所の内面側に回転不能に位置決めすることができ、部品点数の増加をなくすことができる。また、クリックバネに小開口を形成し、ダイアルのボス部に形成した突起を該小開口に嵌め込んで、クリックバネをボス部に回転不能に位置決めしたモードダイアルも、他の位置決め部材を使用することなく、簡単な構造で確実にクリックバネをダイアルのボス部に回転不能に位置決めすることができ、部品点数の増加をなくすことができる。
【００１４】
更に、両側へ突出する一対の腕部を有し、この腕部の先端に係合凸子を有するクリックバネを組み込んだモードダイアルは、一対の腕部のバネ力で先端の係合凸子をクリックプレートの被係合部に確実に係合させて、クリック感のある間欠的な回転動作を行わせることができ、クリックプレートの被係合部が孔、スリット、凹穴、凹溝のいずれかであると、クリックバネの係合凸子との係合や係合解除の動作がスムーズに行われるので、クリック感が向上する。
【００１５】
そして、本発明の更に具体的な好ましいモードダイアルのように、クリックバネに形成した係合突片と一対の腕部を、モードスイッチの回転部に形成した被係合凹部に係合させることで、クリックバネをモードスイッチの回転部に回転不能に位置決めして取付けたものは、上記の作用効果に加えて、他の位置決め部品を使用することなく、簡単な構造で確実にクリックバネをモードスイッチの回転部に回転不能に位置決めすることができ、部品点数の増加をなくすことができる。
【発明を実施するための最良の形態】
【００１６】
以下、図面を参照して本発明の具体的な実施形態を詳述する。
【００１７】
図１は本発明の一実施形態に係るモードダイアルの分解斜視図、図２は同モードダイアルを異なる方向から見た分解斜視図、図３はダイアル取付予定箇所に組み込んだ同モードダイアルを内側から見た斜視図、図４は同モードダイアルの断面図、図５はモードスイッチに対するクリックバネの取付状態を示す斜視図である。
【００１８】
このモードダイアルは、図１，図２に示すように、合成樹脂製のダイアル１と、板金製のクリックプレート２と、板金製のクリックバネ３と、１本のビス４とからなるものであって、電子機器類のカバー（外装材）５のダイアル取付予定箇所５ａに組み込まれ、電子機器類の内部の基板６に搭載されたモードスイッチ７に取付けられるものである。
【００１９】
ダイアル１は、図２に示すように、裏面の中心部にボス部１ａが突設されており、このボス部１ａの中心にはビス孔１ｂが形成されている。そして、このボス部１ａの先端面には、一対の突起１ｃ，１ｃが突設されている。この突起１ｃ，１ｃは、後述するように、クリックバネ３の小開口３ａ，３ａに嵌め込まれて、クリックバネ３をボス部１ａに対して回転不能に位置決めするものである。このダイアル１は、裏面のボス部１ａをダイアル取付予定箇所５ａの孔５ｂに外側から挿入することによって、ダイアル取付予定箇所５ａの外面側に配置されている。
【００２０】
クリックプレート２は、図１，図２に示すように、ドーナツ板状の板金製のプレートであって、後述するクリックバネ３の凸子３ｂが係合する被係合部として複数の孔２ａが周方向に間隔をあけて形成されており、また、プレート外周部には複数の凹欠部２ｂが間隔を開けて形成されている。そして、このクリックプレート２はダイアル取付予定箇所５ａの内面側に配置され、ダイアル取付予定箇所５ａに対峙して突設した一対の凸部５ｃ，５ｃをプレート外周部の凹欠部２ｂに嵌め込むことで、ダイアル取付予定箇所５ａの内面側に回転不能に位置決めされている。
【００２１】
クリックプレート２の被係合部は、クリックバネ３の凸子３ｂが確実に係合できるものであればよいので、上記の孔２ａの他に、スリット、凹穴、凹溝などを被係合部として形成するようにしてもよい。また、被係合部の個数は、モードスイッチ７の切替数に合わせればよいことは言うまでもない。
【００２２】
クリックバネ３は、図１，図２に示すように、中央円板部３ｃと、中央円板部３ｃから両側に突き出す略Ｃ字形の一対の腕部３ｄ，３ｄと、中央円板部３ｃから上記腕部と直角方向に突き出す係合突片３ｅとを板金で一体に形成したものであって、一対の腕部３ｄ，３ｄの先端には、クリックプレート２の孔２ａ（被係合部）に係合する略半球状の係合凸子３ｂが形成されている。そして、中央円板部３ｃの中心にはビス挿通孔３ｆが形成されており、このビス挿通孔３ｆの両側には、前述したダイアルボス部１ａの一対の突起１ｃ，１ｃを嵌め込む一対の小開口３ａ，３ａが形成されている。
【００２３】
このモードダイアルは、次の要領で、電子機器類のカバー５のダイアル取付予定箇所５ａに組み込まれるものである。まず、ダイアル取付予定箇所５ａの内面側にクリックプレート２を配置し、プレート外周部の二つの凹欠部２ｂ，２ｂにダイアル取付予定箇所５ａの二つの凸部５ｃ，５ｃを嵌め込んで、クリックプレート２をダイアル取付予定箇所５ａの内面側に回転不能に位置決めする。次いで、ダイアル１裏面のボス部１ａをダイアル取付予定箇所５ａの孔５ｂに外側から挿入して、ダイアル１をダイアル取付予定箇所５ａの外面側に配置すると共に、クリックプレート２の更に内側にクリックバネ３を配置して、クリックバネ３の二つの小開口３ａ，３ａにダイアル１のボス部１ａの二つの突起１ｃ，１ｃを嵌め込み、クリックバネ３をボス部１ａに対して回転不能に位置決めする。そして、クリックバネ３のビス挿通孔３ｆからビス４をダイアルボス部１ａのビス孔１ｂにねじ込んでクリックバネ３をビス止めし、クリックバネ３の両側の腕部３ｄ，３ｄをクリックプレート２に弾接させると、図３，図４に示すように、モードダイアルがダイアル取付予定箇所５ａに組み込まれる。
【００２４】
このように組み込まれたモードダイアルをモードスイッチ７に載置して取付けると、図５に示すように、クリックバネ３の係合突片３ｅと腕部３ｄ，３ｄがモードスイッチ７の回転部７ａのそれぞれの被係合凹部７ｂに係合して、クリックバネ３が回転部７ａに対し回転不能に位置決めされるようになっている。
【００２５】
以上のように構成されたモードダイアルのダイアル１を指で回すと、このダイアル１のボス部１ａに対して回転不能に位置決めされているクリックバネ３も回転し、クリックプレート２に弾接しているクリックバネ３の腕部３ｄ，３ｄの係合凸子３ｂがクリックプレート２のそれぞれの孔２ａ（被係合部）に順々に係合して、クリック感のある間欠的な回転動作を行うと共に、クリックバネ３によってモードスイッチ７の回転部７ａも間欠的に回転して、スイッチが切り替えられる。
【００２６】
このモードダイアルは、クリックプレート２とクリックバネ３が板金製で厚みが小さいため、モードダイアル全体を薄型化することができ、部品点数も、ダイアル１、クリックプレート２、クリックバネ３、１本のビス４の合計４点であって、従来のモードダイアルに比べると部品点数、組立工数が少ないため、製造面およびコスト面で有利である。そして、板金製のクリックプレート２に板金製のクリックバネ３が弾接して回転するので、従来のように樹脂粉が発生して感触が悪くなる心配がなく、また、クリックバネ３の係合凸子３ｂの大きさを適宜変更すれば、ダイアル１を回す力量を変更、調節することもできる。
【図面の簡単な説明】
【００２７】
【図１】本発明の一実施形態に係るモードダイアルの分解斜視図である。
【図２】同モードダイアルを異なる方向から見た分解斜視図である。
【図３】ダイアル取付予定箇所に組み込んだ同モードダイアルを内側から見た斜視図である。
【図４】同モードダイアルの断面図である。
【図５】モードスイッチに対するクリックバネの取付状態を示す斜視図である。
【図６】従来のモードダイアルの一例を示す分解斜視図である。
【符号の説明】
【００２８】
１    ダイアル
１ａ  ボス部
１ｂ  ビス孔
１ｃ  突起
２    クリックプレート
２ａ  被係合部（孔）
２ｂ  凹欠部
３    クリックバネ
３ａ  小開口
３ｂ  係合凸子
３ｄ  腕部
３ｅ  係合突片
３ｆ  ビス挿通孔
４    ビス
５    カバー
５ａ  ダイアル取付予定箇所
５ｂ  孔
５ｃ  凸部
７    モードスイッチ
７ａ  回転部
７ｂ  被係合凹部
【図１】
2008177095.tif 000003
【図２】
2008177095.tif 000004
【図３】
2008177095.tif 000005
【図４】
2008177095.tif 000006
【図５】
2008177095.tif 000007
【図６】
2008177095.tif 000008